(57)【要約】【課題】転写媒体の画像に不良が検知された場合に、不良検知ページを所望の出力物として再出力することを可能にする。【解決手段】ＪＯＢに基づいて転写媒体に画像を形成する画像形成部と、前記画像形成部を制御する制御部と、を有し、前記制御部は、転写媒体の画像を読み取った読取画像を取得し、前記読取画像に基づいて転写媒体上の画像の良否を判定することができ、前記判定において前記画像が不良であると判定された場合、ＪＯＢ毎に、少なくとも不良が検知された不良検知頁の元画像情報を出力履歴情報と紐付けて保存をし、紐付けられている元画像情報に基づいて少なくとも不良検知頁の再印刷を実行可能にする。【選択図】図４
2019038201.tif 000002
【特許請求の範囲】
【請求項１】
ＪＯＢに基づいて転写媒体に画像を形成する画像形成部と、
前記画像形成部を制御する制御部と、を有し、
前記制御部は、転写媒体の画像を読み取った読取画像を取得し、前記読取画像に基づいて転写媒体上の画像の良否を判定することができ、
前記判定において前記画像が不良であると判定された場合、ＪＯＢ毎に、少なくとも不良が検知された不良検知頁の元画像情報を出力履歴情報と紐付けて保存をし、紐付けられている元画像情報に基づいて少なくとも不良検知頁の再印刷を実行可能にすることを特徴とする画像形成装置。
【請求項２】
前記制御部は、印刷履歴情報に基づいてＪＯＢの不良検知頁の再印刷を行う指示がなされると、紐付けられている元画像情報に基づいて少なくとも不良検知頁の再印刷を実行することを特徴とする請求項１記載の画像形成装置。
【請求項３】
前記制御部は、前記保存を不揮発性の記憶部に行うことを特徴とする請求項１または２に記載の画像形成装置。
【請求項４】
前記制御部は、前記画像が不良であると判定された場合、ＪＯＢの出力設定に基づいて、前記元画像情報を保存する頁を決定することを特徴とする請求項１〜３のいずれか１項に記載の画像形成装置。
【請求項５】
前記制御部は、前記画像が不良であると判定された場合、前記元画像情報とともにＪＯＢの出力設定に関する情報を保存することを特徴とする請求項１〜４のいずれか１項に記載の画像形成装置。
【請求項６】
前記制御部は、前記不良が検知されたＪＯＢが束物ＪＯＢである場合、前記ＪＯＢの全頁の元画像情報を保存し、不良検知頁の再出力を行う際は、当該ＪＯＢの全頁の再出力を行うことを特徴とする請求項１〜５のいずれか１項に記載の画像形成装置。
【請求項７】
前記制御部は、前記不良が検知されたＪＯＢが両面印刷を行うＪＯＢである場合、少なくとも、前記不良が検知された頁の元画像情報と前記頁の反対面の頁の元画像情報とを保存し、再出力を行う際は、少なくとも、不良検知頁とその反対面の頁を再印刷することを特徴とする請求項１〜６のいずれか１項に記載の画像形成装置。
【請求項８】
前記制御部は、前記不良が検知されたＪＯＢが、ノンブル情報を付加して印刷するＪＯＢである場合、少なくとも不良が検知された頁の元画像情報とノンブル情報とを、前記出力履歴情報と紐付けて保存し、
再出力を行う際は、保存された前記ノンブル情報を、再印刷を行う頁に付加して印刷することを特徴とする請求項１〜７のいずれか１項に記載の画像形成装置。
【請求項９】
前記制御部は、転写媒体上の画像の良否を判定する際に、前記読取画像と、予め取得した正解画像との比較によって画像の良否の判定を行い、
前記画像が不良であると判定された場合、不良検知頁における元画像情報と正解画像とを、前記出力履歴情報に紐付けて保存することを特徴とする請求項１〜８のいずれか１項に記載の画像形成装置。
【請求項１０】
前記制御部は、再出力された転写媒体の画像を読み取った読取画像を取得し、前記読取画像と前記正解画像とを比較して、再出力された転写媒体の画像の良否を判定することを特徴とする請求項９に記載の画像形成装置。
【請求項１１】
前記制御部は、再印刷を行う際に、出力を行う頁を選択することが可能であることを特徴とする請求項１〜１０のいずれか１項に記載の画像形成装置。
【請求項１２】
前記制御部は、再印刷の指示の際に、全頁出力、ヤレ検知頁の任意頁の複数の選択肢から選択した出力を可能にすることを特徴とする請求項１〜１１のいずれか１項に記載の画像形成装置。
【請求項１３】
情報を表示する表示部を備え、
前記制御部は、前記出力履歴情報を前記表示部に表示する際に、前記不良検知頁の元画像を表示することが可能であることを特徴とする請求項１〜１２のいずれか１項に記載の画像形成装置。
【請求項１４】
転写媒体に画像を形成する画像形成装置を制御するコンピュータで実行されるプログラムであって、
転写媒体の画像を読み取った読取画像を取得するステップと、
前記読取画像に基づいて画像の良否を判定するステップと、
前記判定において前記画像が不良であると判定された場合、ＪＯＢ毎に、少なくとも不良が検知された不良検知頁の印刷用の元画像情報を出力履歴情報と紐付けて保存するステップと、
紐付けられている元画像情報に基づいて少なくともヤレ検知頁の再印刷の実行を可能にするステップと、を有することを特徴とするプログラム。
【発明の詳細な説明】
【技術分野】
【０００１】
この発明は、転写媒体上の画像の良否を判定することが可能な画像形成装置およびプログラムに関する。
【背景技術】
【０００２】
画像形成装置の分野では、転写媒体上の画像を読み取り、読み取った画像データに基づいて、用紙に形成された画像の良否を検知することが可能な画像形成装置が知られている。このような画像形成装置においては、画像が不良であると判定されたヤレ紙の情報を表示部で確認したり、ヤレ紙の再出力を可能としたりすることが可能になっている。
【０００３】
例えば、特許文献１では、印刷画像の読み取り処理により得られた検査画像データを用いて印刷画像の欠陥検査を行い、欠陥が発見された場合は、欠陥のあった欠陥画像データを保存し、表示部に履歴情報を表示する際に、履歴情報に欠陥画像データへのリンクを付加することが記載されている。
また、特許文献２では、印刷不良などが発生した場合に備えて印刷出力済みの画像を保存しておき、保存画像の再印刷動作を可能とした装置が記載されている。
さらに、特許文献３では、ヤレ紙と判定した用紙の画像を再出力用として記憶部に記憶しておき、ヤレ紙画像再出力選択画面においてヤレ紙の画像を表示し、ヤレ紙の再出力を行うことを可能とした装置が記載されている。
【先行技術文献】
【特許文献】
【０００４】
【特許文献１】特開２００５−２０５７２２号公報
【特許文献２】特開２００１−１８６３１５号公報
【特許文献３】特開２０１０−２４６３号公報
【発明の概要】
【発明が解決しようとする課題】
【０００５】
しかし、従来の方法では、ヤレが検知された頁に対応する印刷用の元画像データを保存し、保存した元画像データを用いてヤレが検知された頁の再出力を行った場合に、所望の印刷物が得られないことがある。例えば、ヤレが検知されたＪＯＢが束物ＪＯＢや両面ＪＯＢ、ノンブル印刷を付加したＪＯＢなどの場合、これらのＪＯＢにおけるヤレ紙の再印刷では、束物や両面印刷、ノンブル印刷などが所望の出力物とは異なる出力物になってしまうという問題がある。
【０００６】
本発明は上記課題を背景としてなされたものであり、画像の不良が検知されて再印刷を行う場合に、所望の出力物を得ることが可能な画像形成装置及びプログラムを提供することを目的とする。
【課題を解決するための手段】
【０００７】
すなわち、本発明の画像形成装置のうち、第１の形態は、ＪＯＢに基づいて転写媒体に画像を形成する画像形成部と、
前記画像形成部を制御する制御部と、を有し、
前記制御部は、転写媒体の画像を読み取った読取画像を取得し、前記読取画像に基づいて転写媒体上の画像の良否を判定することができ、
前記判定において前記画像が不良であると判定された場合、ＪＯＢ毎に、少なくとも不良が検知された不良検知頁の元画像情報を出力履歴情報と紐付けて保存をし、紐付けられている元画像情報に基づいて少なくとも不良検知頁の再印刷を実行可能にすることを特徴とする。
【０００８】
他の形態の画像形成装置の発明は、前記形態の本発明において、前記制御部は、印刷履歴情報に基づいてＪＯＢの不良検知頁の再印刷を行う指示がなされると、紐付けられている元画像情報に基づいて少なくとも不良検知頁の再印刷を実行することを特徴とする。
【０００９】
他の形態の画像形成装置の発明は、前記形態の本発明において、前記制御部は、前記保存を不揮発性の記憶部に行うことを特徴とする請求項１記載の画像形成装置。
【００１０】
他の形態の画像形成装置の発明は、前記形態の本発明において、前記制御部は、前記画像が不良であると判定された場合、ＪＯＢの出力設定に基づいて、前記元画像情報を保存する頁を決定することを特徴とする。
【００１１】
他の形態の画像形成装置の発明は、前記形態の本発明において、前記制御部は、前記画像が不良であると判定された場合、前記元画像情報とともにＪＯＢの出力設定に関する情報を保存することを特徴とする。
【００１２】
他の形態の画像形成装置の発明は、前記形態の本発明において、前記制御部は、前記不良が検知されたＪＯＢが束物ＪＯＢである場合、前記ＪＯＢの全頁の元画像情報を保存し、不良検知頁の再出力を行う際は、当該ＪＯＢの全頁の再出力を行うことを特徴とする。
【００１３】
他の形態の画像形成装置の発明は、前記形態の本発明において、前記制御部は、前記不良が検知されたＪＯＢが両面印刷を行うＪＯＢである場合、少なくとも、前記不良が検知された頁の元画像情報と前記頁の反対面の頁の元画像情報とを保存し、再出力を行う際は、少なくとも、不良検知頁とその反対面の頁を再印刷することを特徴とする。
【００１４】
他の形態の画像形成装置の発明は、前記形態の本発明において、前記制御部は、前記不良が検知されたＪＯＢが、ノンブル情報を付加して印刷するＪＯＢである場合、少なくとも不良が検知された頁の元画像情報とノンブル情報とを、前記出力履歴情報と紐付けて保存し、
再出力を行う際は、保存された前記ノンブル情報を、再印刷を行う頁に付加して印刷することを特徴とする。
【００１５】
他の形態の画像形成装置の発明は、前記形態の本発明において、前記制御部は、転写媒体上の画像の良否を判定する際に、前記読取画像と、予め取得した正解画像との比較によって画像の良否の判定を行い、
前記画像が不良であると判定された場合、不良検知頁における元画像情報と正解画像とを、前記出力履歴情報に紐付けて保存することを特徴とする。
【００１６】
他の形態の画像形成装置の発明は、前記形態の本発明において、前記制御部は、再出力された転写媒体の画像を読み取った読取画像を取得し、前記読取画像と前記正解画像とを比較して、再出力された転写媒体の画像の良否を判定することを特徴とする。
【００１７】
他の形態の画像形成装置の発明は、前記形態の本発明において、前記制御部は、再印刷を行う際に、出力を行う頁を選択することが可能であることを特徴とする。
【００１８】
他の形態の画像形成装置の発明は、前記形態の本発明において、前記制御部は、再印刷の指示の際に、全頁出力、ヤレ検知頁の任意頁の複数の選択肢から選択した出力を可能にすることを特徴とする。
【００１９】
他の形態の画像形成装置の発明は、前記形態の本発明において、情報を表示する表示部を備え、
前記制御部は、前記出力履歴情報を前記表示部に表示する際に、前記不良検知頁の元画像を表示することが可能であることを特徴とする。
【００２０】
本発明のプログラムのうち、第１の形態は、転写媒体に画像を形成する画像形成装置を制御するコンピュータで実行されるプログラムであって、
転写媒体の画像を読み取った読取画像を取得するステップと、
前記読取画像に基づいて画像の良否を判定するステップと、
前記判定において前記画像が不良であると判定された場合、ＪＯＢ毎に、少なくとも不良が検知された不良検知頁の印刷用の元画像情報を出力履歴情報と紐付けて保存するステップと、
印刷履歴情報に基づいてＪＯＢの不良検知頁の再印刷を行う指示がなされると、紐付けられている元画像情報に基づいて少なくともヤレ検知頁の再印刷の実行を制御するステップと、を有することを特徴とする。
【発明の効果】
【００２１】
本発明によれば、転写媒体の出力物に不良が検知された場合に、再印刷において所望の出力物を確実に得ることが可能になる。
【図面の簡単な説明】
【００２２】
【図１】本発明の一実施形態の画像形成装置の機械的構成の概略を示す図である。
【図２】同じく、機能ブロック図である。
【図３】同じく、ヤレ検知シートに対する元画像表示画面を示す図である。
【図４】同じく、ヤレ検知時にヤレ検知頁に関する情報を記憶する手順を示すフローチャートである。
【図５】同じく、ヤレ検知頁の再出力手順を示すフローチャートである。
【図６】同じく、束物ＪＯＢによる１部出力設定確認画面を示す図である。
【図７】同じく、束物ＪＯＢにおけるヤレ検知のときに、ヤレ検知頁に関する情報を記憶する手順を示すフローチャートである。
【図８】同じく、束物ＪＯＢにおけるヤレ検知頁の再出力手順を示すフローチャートである。
【図９】同じく、両面印刷ＪＯＢにおけるヤレ検知シートの元画像表示画面を示す図である。
【図１０】同じく、両面印刷ＪＯＢにおけるヤレ検知シートの元画像表示画面を示す図である。
【図１１】同じく、両面印刷ＪＯＢにおいてヤレ検知を行う手順を示すフローチャートである。
【図１２】同じく、両面印刷ＪＯＢにおいてヤレ検知シートの再出力を行う手順を示す図である。
【図１３】同じく、ノンブルが付加されたＪＯＢにおけるヤレ検知シートの元画像表示画面を示す図である。
【図１４】同じく、ノンブルが付加されたＪＯＢにおいてヤレを検知した場合の手順を示すフローチャートである。
【図１５】同じく、ノンブルが付加されたＪＯＢにおけるヤレ検知シートの再出力手順を示すフローチャートである。
【図１６】同じく、ヤレ検知の際に正解画像を記憶する手順を示すフローチャートである。
【図１７】同じく、ヤレ検知シートを再出力してヤレ判定を行う際の手順を示すフローチャートである。
【図１８】同じく、任意のシートを出力可能とした元画像表示画面を示す図である。
【図１９】同じく、出力方法の設定確認画面を示す図である。
【図２０】同じく、ヤレ検知頁が含まれるＪＯＢの全頁を再出力する際の手順を示すフローチャートである。
【図２１】同じく、ヤレ検知頁の任意シートを選択して再出力する手順を示すフローチャートである。
【発明を実施するための形態】
【００２３】
以下に、本発明の画像形成装置の一実施形態を添付図面に基づいて説明する。
画像形成装置１は、図１に示すように、用紙搬送方向の上流側から順に、給紙装置４０、装置本体１０、読取装置２０、後処理装置３０の装置を備えている。各装置は電気的および機械的に接続されており、装置間での通信および用紙の搬送が可能となっている。
【００２４】
本実施形態では、これらの装置によって画像形成装置１が構成されているものとしているが、本発明としては画像形成装置の構成がこれに限定されるものではない。例えば、装置本体１０と読取装置２０とによって画像形成装置が構成されるものでもよく、また、装置本体１０のみで画像形成装置を構成し、装置本体１０に読取装置２０、後処理装置３０、給紙装置４０などを備えるものを画像形成システムとしてもよい。また、読取装置は、装置本体内に備えられていてもよい。
【００２５】
給紙装置４０は、複数の給紙段を備えており、各給紙段には用紙が収納されている。給紙段内の用紙は装置本体１０の搬送経路１３へ搬送され、装置本体１０において用紙に画像が形成される。用紙は、本発明の転写媒体に相当する。なお、本発明としては転写媒体の材質は紙に限定されるものではなく、布やプラスチックからなるものであってもよい。また、本発明の転写媒体は、用紙が連続した連続紙などの連続転写媒体であってもよく、画像形成前や画像形成後にカットするものであってもよい。給紙装置の４０の後段には装置本体１０が接続されている。
【００２６】
装置本体１０は、その筐体の上部に操作部１４０を備えている。操作部１４０は、タッチパネル式のＬＣＤ１４１とテンキー等の操作キー群とを有しており、情報の表示および操作入力の受付が可能となっている。
【００２７】
装置本体１０は、さらに、筐体の上部に自動原稿給送装置（ＡＤＦ）１４を備えている。自動原稿給送装置（ＡＤＦ）１４は、原稿載置台にセットされた原稿を自動で給送するものであり、自動原稿給送装置（ＡＤＦ）１４で給送される原稿は、図２で示されるスキャナー部１３０によって読み取られる。
なお、原稿の読み取りは図示しないプラテンガラス上で行うことも可能である。
【００２８】
装置本体１０の下部側には、本体給紙部１２が備えられている。本体給紙部１２には用紙が収納されており、本体給紙部１２内の用紙は搬送経路１３へ供給される。用紙は、本発明の転写媒体に相当する。なお、本体給紙部１２における転写媒体も給紙装置４０と同様に用紙以外の材質のものを用いることができる。
装置本体１０内の搬送経路１３の周囲には図示しないローラー等が設けられており、搬送経路１３は、給紙装置４０または本体給紙部１２から供給された用紙を搬送することができる。
【００２９】
さらに、装置本体１０では、搬送経路１３の途中に、用紙に画像を形成する画像形成部１１が設けられている。
画像形成部１１は、各色用（シアン、マゼンタ、イエロー、ブラック）用の感光体１１ａを有しており、感光体１１ａの周囲には、図示しない帯電器、ＬＤ、現像器、クリーニング部等が備えられている。また、画像形成部１１は、各色用の感光体１１ａと接触可能な位置に中間転写ベルト１１ｂを有している。中間転写ベルト１１ｂは、その途中に設けられた二次転写部１１ｃにおいて搬送経路１３上の用紙と接触する。また、搬送経路１３では、二次転写部１１ｃよりも下流側の位置に定着器１１ｄが備えられている。
【００３０】
用紙に画像を形成する場合は、帯電器によって感光体１１ａが一様に帯電され、帯電された感光体１１ａに対し、レーザー光がＬＤによって照射されて感光体１１ａ上に潜像が形成され、感光体１１ａに形成された潜像が現像器によって現像されてトナー像となる。
各色用の感光体上のトナー像は中間転写ベルト１１ｂに転写され、中間転写ベルト１１ｂ上の画像は二次転写部１１ｃにおいて用紙に転写される。その後、定着器１１ｄによって用紙が加熱され、用紙上の画像が定着される。
【００３１】
また、搬送経路１３からは、定着器１１ｄの下流側で反転搬送経路１３ａが分岐している。反転搬送経路１３ａからは、下流搬送経路１３ｃが分岐しており、その下流側では退避搬送経路１３ｂが分岐している。反転搬送経路１３ａは、退避搬送経路１３ｂが分岐した以降の下流側では、画像形成部１１よりも上流側で搬送経路１３に合流している。
【００３２】
反転搬送経路１３ａに搬送された用紙は、表裏の反転のみを行う場合は、一旦退避搬送経路１３ｂに送られた後、逆走して下流搬送経路１３ｃに送られる。下流搬送経路１３ｃは、搬送方向下流側で搬送経路１３に合流しており、下流搬送経路１３ｃに送られる用紙は、表裏の反転が行われた状態で搬送経路１３を通って下流側に搬送される。
用紙を反転して画像形成部１１に環流する場合、用紙は、反転搬送経路１３ａから一旦退避搬送経路１３ｂに送られ、逆方向に搬送されて下流側の反転搬送経路１３ａに送られ、画像形成部１１の上流側で搬送経路１３に合流され、その後、用紙の裏面側への画像形成が行われる。画像形成後の用紙は、後段の読取装置２０の搬送経路２３へ搬送される。
【００３３】
また、装置本体１０は制御部１００を有している。制御部１００は画像形成装置１全体を制御するものであり、ＣＰＵやメモリなどによって構成される。なお、制御部は装置本体外に設けられるものであってもよい。
【００３４】
読取装置２０は、搬送経路１３に接続される搬送経路２３を有しており、搬送経路２３に沿って用紙が搬送される。
搬送経路２３の途中には、用紙の搬送方向の順に、搬送される用紙の下面の画像の読み取りを行う画像読取部２４と、用紙の上面の画像の読み取りを行う画像読取部２５とが備えられている。画像読取部２４、２５における読み取りによって取得された画像データは装置本体１０の制御部１００に読取結果として送信され、制御部１００では、取得した画像データに基づいて、正解画像との比較によるヤレの判定や、各種の処理や画像形成部１１の調整等を行うことができる。
【００３５】
画像読取部２４、２５は、ＣＣＤセンサーやＣＭＯＳセンサー等によって構成することができ、用紙の幅方向全面の画像の読み取りを行うことが可能である。なお、本発明では画像読取部の数は特に限定されるものではなく、１つの画像読取部を有するものとしてもよい。１つの画像読取部で用紙の両面の画像を読み取る場合は、用紙の片面を読み取った後で反転をさせて他面側の読取を行うようにしてもよい。また、ポイントで画像を読み取る測色機などであってもよい。なお、この実施形態では、２つの画像読取部を有するものについて説明をしたが、本発明としては画像読取部の数が限定されるものではなく、その数は１つでもよく、また、３つ以上でもよい。複数の画像読取部では種別の異なるものであってもよい。なお、この実施形態では、画像の正常、異常判定を制御部１００で行うものとしているが、読取装置２０で画像の判定を行うようにしてもよい。この場合、画像読取部２４、２５で読み取った画像を、読取装置２０に備える読み取り制御部（図示しない）などで取得し、読み取り制御部で画像の良否の判定を行うことができる。この場合、装置本体１０に備える制御部１００と読み取り制御部とが協働して本発明の制御部として機能するものであってもよい。
【００３６】
後処理装置３０は、読取装置２０の搬送経路２３に接続されて用紙が搬送される搬送経路３３を備えており、搬送経路３３の中途に後処理部３４が設けられている。
後処理部３４は、所定の後処理を実行することが可能である。後処理としては、例えば、ステープル、パンチ、冊子処理などの適宜の処理や、折りを含む後処理、例えば、内三つ折り、中綴じ、Ｚ折り、観音折り、四つ折り等の処理を行うことが可能である。後処理部３４では、複数の後処理を行うものであってもよい。
搬送経路３３は途中で分岐して第１排紙部３１および第２排紙部３２に接続されており、後処理部３４を通過した用紙は第２排紙部３２に排紙し、後処理が行われていない用紙は第１排紙部３１に排紙することができる。なお、後処理を行わない用紙を第２排紙部３２に排紙するようにしてもよい。
【００３７】
なお、上記実施形態ではカラー印刷が可能な画像形成装置について説明しているが、本発明としては、単色での印刷を行う画像形成装置であってもよい。
【００３８】
次に、画像形成装置１の制御ブロックを図２に基づいて説明する。
画像形成装置１は、主要な構成として、デジタルコピアと、画像処理部（プリント＆スキャナーコントローラー）１６０とを有している。デジタルコピアは、制御ブロック１１０、スキャナー部１３０、操作部１４０、およびプリンター部１５０を有している。画像処理部（プリント＆スキャナーコントローラー）１６０は、外部装置との間で入出力される画像データを処理するものである。
【００３９】
制御ブロック１１０は、ＰＣＩバス１１２を有しており、ＰＣＩバス１１２は制御ブロック１１０内でＤＲＡＭ制御ＩＣ１１１に接続されている。
ＰＣＩバス１１２には、コントローラーＩＣ１１８を介してＨＤＤ１１９が接続されている。ＨＤＤ１１９には、画像データやＪＯＢデータ、ヤレ検知用の正解画像のデータ等の所望のデータを格納することができる。ＨＤＤ１１９は、本発明の記憶部に相当する。
【００４０】
また、制御ブロック１１０では、ＤＲＡＭ制御ＩＣ１１１に制御ＣＰＵ１１３が接続されている
制御ＣＰＵ１１３には、不揮発メモリ１１５が接続されている。不揮発メモリ１１５には、制御ＣＰＵ１１３で実行されるプログラムや画像形成装置１の機械設定情報などの設定データ、プロセス制御パラメーター、ＪＯＢの出力履歴情報、用紙情報を含む設定情報等が読み書き可能に格納されている。また、不揮発メモリ１１５には、不良検知（以下適宜にヤレ検知という）された頁の画像データなどを格納することが可能である。さらに、ヤレ検知された頁などの元画像データ、ヤレ検知に用いられる正解画像のデータ等を印刷履歴情報に紐付けて保存することができ、印刷履歴にＪＯＢの設定情報を含むものとすることができる。ＪＯＢの設定情報としては、用紙情報や排紙先の情報のほかに、冊子印刷など束物ＪＯＢであるか、両面印刷であるか、ノンブル情報を付加するＪＯＢであるか等が保存される。
【００４１】
制御ＣＰＵ１１３は、プログラムの実行によって画像形成装置１の各部を制御することが可能であり、用紙の搬送や画像形成の制御、出力物の不良判定（以下適宜にヤレ判定という）、再印刷の実行などを行う。すなわち、制御ＣＰＵ１１３と制御ＣＰＵ１１３で動作するプログラムは、本発明の制御部１００を構成する。制御ＣＰＵ１１３で動作するプログラムには本発明のプログラムが含まれている。すなわち、本発明のプログラムは、制御部１００をコンピュータとして動作する。なお、プログラムは、持ち運び可能な記憶媒体に格納されていてもよい。これらのデータは、ＨＤＤ１１９に保存するものとしてもよい。なお、この実施形態では、制御ＣＰＵ１１３の動作によって再印刷を実行するものとして説明しているが、元画像情報を印刷履歴情報と紐付けて保存することで、他の画像形成装置などで再印刷できるようにデータを提供するなどするものであってもよい。
【００４２】
制御ＣＰＵ１１３には、ＲＴＣ（日時データ発生装置）１２５が接続されており、日時データを制御ＣＰＵ１１３に送信することができる。
【００４３】
また、制御ＣＰＵ１１３には、スキャナー部１３０のスキャナー制御部１３２がシリアル通信可能に接続されている。
スキャナー部１３０は、ＣＣＤ１３１と、スキャナー制御部１３２とを備えている。ＣＣＤ１３１は用紙上の画像の光学読み取りを行い、スキャナー制御部１３２はスキャナー部１３０全体を制御する。スキャナー制御部１３２は、制御ＣＰＵ１１３とシリアル通信可能に接続されており、制御ＣＰＵ１１３による制御を受ける。なお、スキャナー制御部１３２は、ＣＰＵやＣＰＵを動作させるプログラムなどによって構成することができる。  ＣＣＤ１３１で読み取った画像データは、ＤＲＡＭ制御ＩＣ１１１を介して読み取り処理部１１６に送信され、読み取り処理部１１６において所定の補正等の処理がなされる。読み取り処理部１１６はＤＲＡＭ制御ＩＣ１１１に接続されている。
【００４４】
操作部１４０は、タッチパネル式のＬＣＤ１４１と、操作部制御部１４２とを備えている。ＬＣＤ１４１では各種の情報の表示および操作入力が可能となっている。なお、操作入力は、操作キー等によって行うこともできる。例えば、ヤレ検知された場合のヤレ紙の元画像の表示やヤレ画像の表示、正解画像の表示などを行うことができる。さらにヤレ検知された際の再出力指示や再出力を全頁で行う、ヤレ紙の任意の頁を選択して行うなどの指示操作を可能にする。
【００４５】
操作部制御部１４２は、操作部１４０の全体を制御するものである。操作部制御部１４２は制御ＣＰＵ１１３とシリアル通信可能に接続されており、操作部１４０は制御ＣＰＵ１１３によって制御される。操作部制御部１４２は、ＣＰＵやＣＰＵを動作させるプログラムなどによって構成することができる。
操作部１４０では、ＬＣＤ１４１や操作キーを通じた操作入力により、装置本体１０、読取装置２０、後処理装置３０などに対する各種の設定を行うことが可能であり、設定に基づいて、制御部によって、画像形成や用紙の搬送、ヤレ判定の有無、後処理の有無等の動作が制御される。
また、操作部１４０では、画像形成装置１における設定や動作指令などの動作制御条件の入力や、設定内容、機械状態、情報の表示等が可能になっており、例えば、ＪＯＢの出力履歴や、後述するヤレ判定機能においてヤレと判定されたＪＯＢの履歴情報の表示を行うことが可能である。操作部１４０は、本発明の表示部に相当する。
【００４６】
ＤＲＡＭ制御ＩＣ１１１には、画像メモリ１２０が接続されており、画像メモリ１２０には、スキャナー部１３０で取得した画像データや、外部の装置からネットワーク２を通して取得した画像データを格納することができる。すなわち、画像メモリ１２０には、印刷するＪＯＢの画像データを格納することができる。
画像メモリ１２０は、圧縮メモリ１２１とページメモリ１２２とを有している。圧縮メモリ１２１には、圧縮された画像データが格納され、ページメモリ１２２には、画像形成用の非圧縮のページ画像データが一時的に格納される。
【００４７】
また、画像メモリ１２０には、複数のＪＯＢに関する画像データを保存することができる。さらにはＪＯＢの設定情報や予約されたＪＯＢの画像データなどを保存することができる。なお、これらのデータは、ＨＤＤ１１９に格納することもできる。
【００４８】
ＤＲＡＭ制御ＩＣ１１１には、圧縮／伸長ＩＣ１１７が接続されている。圧縮／伸長ＩＣ１１７では、画像データの圧縮や、圧縮された画像データを伸長することができる。
【００４９】
ＤＲＡＭ制御ＩＣ１１１には、さらに、書き込み処理部１２３が接続されている。書き込み処理部１２３は、ＬＤ１５４Ａにおける画像形成動作に用いるためのデータ処理を行う。
また、制御ＣＰＵ１１３には、プリンター部１５０のプリンター制御部１５４が接続されている。プリンター制御部１５４は、ＣＰＵや記憶部等によって構成されており、制御ＣＰＵ１１３の指令を受けてプリンター部１５０の全体を制御し、ＬＤ１５４Ａによる画像形成動作を制御する。ＬＤ１５４Ａは、各色用のＬＤを総称するものである。また、プリンター部１５０は、画像形成部１１や、搬送経路２２を含む搬送部を制御することができる。
【００５０】
さらに、制御ＣＰＵ１１３には、ＬＡＮ制御部１２７が接続されており、ＬＡＮ制御部１２７には、ＬＡＮインターフェース１２８が接続されている。ＬＡＮインターフェース１２８には、ネットワーク２やその他のネットワークなどを接続することができ、ＬＡＮインターフェース１２８を介して外部の装置との間でデータの送受信を行うことができる。
【００５１】
また、ＰＣＩバス１１２には、画像処理部（プリント＆スキャナーコントローラー）１６０のＤＲＡＭ制御ＩＣ１６１が接続されている。
画像処理部（プリント＆スキャナーコントローラー）１６０では、ＤＲＡＭ制御ＩＣ１６１に画像メモリ１６２が接続されており、ＤＲＡＭ制御ＩＣ１６１には、コントローラー制御部１６３が接続されている。さらに、ＤＲＡＭ制御ＩＣ１６１に、ＬＡＮ制御部１６４、ＬＡＮインターフェース１６５が接続されている。ＬＡＮインターフェース１６５は、ネットワーク２に接続されている。
【００５２】
ネットワーク２には、外部装置３や他の画像形成装置４、５などが接続されており、画像形成装置１では、ネットワーク２を通じて、外部装置３や他の画像形成装置との間でデータの送受信を行うことができる。なお、ネットワーク２は、ＬＡＮの他にＷＡＮとして使用されるものであってもよく、無線、有線を問わない。
【００５３】
外部装置３は、端末として機能する装置や画像形成装置を管理する装置などとして用いることができる。外部装置３は、外部装置３全体を制御する外部装置制御部３００を有しており、外部装置制御部３００は、ＣＰＵやＣＰＵを動作させるプログラム、記憶部などによって構成することができる。なお、外部装置制御部３００は、画像形成装置１、４、５と通信を行って管理することもでき、この場合、外部装置制御部３００は、画像形成装置を管理する制御部として機能する。
また、外部装置３は、情報を表示可能な外部表示部３１０を有している。外部表示部３１０には、ＪＯＢの出力履歴情報等を表示することができる。
【００５４】
外部装置３では、直接画像形成装置を制御するようにしてもよく、また、画像形成装置へ制御内容の指示を行って、この指示内容によって画像形成装置の制御部で制御が行われるようにしてもよい。
外部装置３は、読取装置２０の読取結果を取得して、用紙の良否判定を行い、不良検知用紙の元画像の保存や画像形成装置における再印刷の実行に対する制御を行うことができる。この形態では、外部装置制御部３００で動作するプログラムは、外部装置制御部３００をコンピュータとして動作する本発明のコンピュータに相当する。
【００５５】
次に、上記画像形成装置１の基本的動作について説明する。
先ず、画像形成装置１において画像データを蓄積する手順について説明する。
スキャナー部１３０で原稿の画像を読み取り、画像データを生成する場合、スキャナー部１３０に原稿を載置し、ＣＣＤ１３１により原稿の画像を光学的に読み取る。この際は、制御ＣＰＵ１１３から指令を受けたスキャナー制御部１３２がＣＣＤ１３１の動作制御を行う。
ＣＣＤ１３１で読み取られた画像は、読み取り処理部１１６に送られ、読み取り処理部１１６において所定のデータ処理がなされる。データ処理された画像データは、圧縮／伸長ＩＣ１１７に送出され、圧縮／伸長ＩＣ１１７において所定の方法によって圧縮され、ＤＲＡＭ制御ＩＣ１１１を介して圧縮メモリ１２１やＨＤＤ１１９に格納される。
圧縮メモリ１２１やＨＤＤ１１９に格納された画像データは、制御ＣＰＵ１１３によってＪＯＢとして管理することができる。
【００５６】
一方、画像データを外部から取得する場合、例えば、外部装置３や他の画像形成装置４、５などからネットワーク２を通して画像データを取得する場合は、画像処理部（プリント＆スキャナーコントローラー）１６０のＬＡＮインターフェース１６５を介して画像データを受信する。受信した画像データは、ＬＡＮインターフェース１６５、ＬＡＮ制御部１６４、ＤＲＡＭ制御ＩＣ１６１を介して画像メモリ１６２に格納される。
その後、画像メモリ１６２に格納された画像データは、ＤＲＡＭ制御ＩＣ１６１、ＰＣＩバス１１２、ＤＲＡＭ制御ＩＣ１１１を介してページメモリ１２２に一旦格納される。  ページメモリ１２２に格納された画像データは、ＤＲＡＭ制御ＩＣ１１１を介して圧縮／伸長ＩＣ１１７に順次送られて圧縮処理され、圧縮後の画像データは、ＤＲＡＭ制御ＩＣ１１１を介して圧縮メモリ１２１やＨＤＤ１１９へ送られ、圧縮メモリ１２１やＨＤＤ１１９に格納される。格納された画像データは制御ＣＰＵ１１３による管理がなされる。
【００５７】
画像形成装置１で画像出力を行う場合、すなわち複写機やプリンターとして使用する場合、圧縮メモリ１２１や不揮発メモリ１１５、ＨＤＤ１１９などに格納された画像データを、ＤＲＡＭ制御ＩＣ１１１を介して圧縮／伸長ＩＣ１１７に送出し、画像データを伸長する。伸長された画像データはＤＲＡＭ制御ＩＣ１１１を介して書き込み処理部１２３へ送出され、書き込み処理部１２３にて繰り返しＬＤ１５４Ａに展開し、ＬＤ１５４Ａによって画像データに基づいて画像形成が行われ、電子写真方式によって用紙に画像データが印字される。
【００５８】
画像形成装置１を複写機として使用する場合は、操作部１４０上で設定された印刷条件（プリントモード）等の情報を通知し、制御ＣＰＵ１１３で設定情報を作成する。作成された設定情報は制御ＣＰＵ１１３内のＲＡＭに格納することができる。
画像形成装置１をプリンターとして用いる場合、印刷条件は、外部装置３内のプリンタドライバで設定することができる。ここで設定された印刷条件は、画像と同様に（外部装置３→  ＬＡＮ  ＩＦ１６５→  画像メモリ１６２→  ＤＲＡＭ制御ＩＣ１６１（コントローラー）→  ＤＲＡＭ制御ＩＣ１１１（本体）→  ページメモリ１２２の順で送信され、ページメモリ１２２に格納される。
【００５９】
次に、画像形成装置１におけるヤレ検知およびヤレ検知頁の再出力について説明する。
画像形成装置１では、画像形成部１１で画像が形成された用紙を画像読取部２４、２５で読み取って読取画像データを読取結果として取得し、その後、取得した読取画像データと、予め用意された正解画像とを比較し、比較結果に基づいて、用紙上の画像の良否を判定することができる。画像の良否の判定は、例えばパターンマッチング等の手法により行うことが可能であり、比較結果における差分が所定値以上であった場合に、画像を不良と判定することができる。なお、比較結果によってヤレと判定する基準は変更可能としてもよく、ユーザが変更できるものとしてもよい。また、ヤレ検知の方法は特に限定されるものではなく、正解画像との比較により行わないものであってもよい。
【００６０】
不良と判定された画像を有する頁は、ヤレ検知頁と判定され、ヤレ検知頁を含む用紙はヤレシート（ヤレ紙）と判定される。ヤレを検知した場合は、印刷を停止してもよく、ヤレ紙を通常の排紙先とは異なる場所に排紙するようにしてもよい。ヤレ検知頁は、本発明の不良検知頁に相当する。
なお、ヤレ判定に用いる画像は、例えば、ＪＯＢの出力前に予め画像の印刷を行い、印刷された画像を読み取って取得した正解画像を利用することができる。また、元印刷画像を比較用の画像とするものであってもよい。比較用の画像は、不揮発メモリ１１５やＨＤＤ１１９等に記憶することができる。
【００６１】
ヤレを検知した場合、下記の表１に示されるように、ヤレ検知履歴リストにＪＯＢの情報を記録して、不揮発メモリ１１５やＨＤＤ１１９に保存することができる。また、この際に、ヤレ検知頁の元画像情報も合わせて保存する。元画像情報は、印刷に用いた画像データを指す。表１は、ヤレ検知履歴リストの例を示している。なお、保存先は、画像形成装置１に備える記憶部に限定されず、画像形成装置外の記憶部などであってもよく、例えば、ネットワークを介して接続された外部記憶装置などに、元画像情報や印刷履歴情報などを保存するものであってもよい。
【００６２】
表１の例では、ヤレが検知されたＪＯＢの出力日時、ＩＤ、ファイル名、枚数、部数が記録されている。
ヤレ検知シート欄において「参照」釦が押下可能に表示されており、「参照」釦を押下することで、ヤレ検知履歴リスト画面から、図３のヤレ検知シートの元画像表示画面へ移行する。なお、表１において「削除」釦が押下されると、該当ＪＯＢのヤレ検知履歴情報および元画像情報が削除される。
なお、ヤレ検知リストは、画像形成装置１の操作部１４０に表示してもよく、外部装置３の外部表示部３１０や、画像形成装置１を管理する他の装置の表示部、端末等に表示するようにしてもよい。
【００６３】
ヤレ検知履歴リストは、この実施形態では、本発明の印刷履歴情報に相当する。元画像情報と印刷履歴情報とが紐付けされており、さらに、ｊｏｂＩＤは、ＪＯＢ設定情報を含んでおり、ＪＯＢ設定情報が紐付けされて保存されている。この形態では、印刷履歴情報としてヤレ検知をしたＪＯＢをリストに表示しているが、ヤレが検知されなかったＪＯＢを含めて、印刷履歴として保存、表示するものであってもよい。
【００６４】
【表１】
2019038201.tif 000003
【００６５】
図３は、元画像を表示した表示画面１４００を示す図である。表示画面１４００は、操作部１４０や外部装置３の外部表示部３１０等に表示することができる。
表示画面１４００では、中央に元画像１４１０が表示されており、元画像１４１０の表示欄の左側には、ＪＯＢ設定情報１４１１が表示されている。ここでは、ＪＯＢ設定情報１４１１には、ヤレが検知されたシートＮｏ．、部数、給紙トレイ、用紙サイズ、紙種、坪量、色紙、排紙トレイの情報が表示されている。なお、表示される情報は本発明としては特に限定されず、上記以外の情報を表示するようにしてもよい。
また、元画像の表示領域の下方には、「前へ」釦１４２０、「再出力」釦１４２１、「次へ」釦１４２２が表示されている。ヤレ検知頁が複数存在する場合は、「前へ」釦１４２０を押下すると１つ前の元画像が表示され、「次へ」釦１４２２を押下すると１つ後の元画像が表示される。「再出力」釦１４２１が押下されると、ヤレ検知頁を出力するＪＯＢを生成し、出力することができる。なお、「前へ」、「次へ」の押下では、別の頁のヤレ検知頁が表示されるものとしてもよい。
【００６６】
次に、ヤレ検知の際の動作および再出力時の動作の詳細を図４、図５に基づいて説明する。なお、以下の手順は制御部１００または外部装置制御部３００の制御によって実行される。以下のフローチャートについても制御部１００または外部装置制御部３００の制御によって実行されることは同様である。
ヤレ検知時に元画像データを保存する手順を図４のフローチャートに基づいて説明する。
先ずＪＯＢをスタートする（ステップｓ１）。ＪＯＢスタートでは、ＪＯＢに基づいて用紙に画像を形成することができる。その後、用紙上の画像の読み取りが行われ、読取画像すなわち読取結果を取得する（ステップｓ２）。画像の読み取りは画像形成装置の画像読取部で行うものでもよく、また、画像形成装置外の画像読取装置で読み取った読取結果を取得するものであってもよい。画像形成装置外の読み取りでは、読み取りの指示を外部に行い、外部から読取結果を取得する。
【００６７】
次に、読取画像に基づいて画像の良否を判定する（ステップｓ３）。画像の良否では、予め取得してある正解画像と読取画像の比較により行うことができる。但し、本発明としては画像の良否判定の方法がこれに限定されるものではない。
画像の良否判定の結果、ヤレが検知された場合（ステップｓ３、ＹＥＳ）、ヤレ検知履歴リストに各種ＪＯＢ情報を記録し（ステップｓ４）、ＪＯＢのＩＤとヤレ検知頁のＪＯＢの元画像情報とを記録し（ステップｓ５）、ＪＯＢを終了する（ステップｓ６）。一方、ステップｓ３において、ヤレを検知しなかった場合（ステップｓ３、ＮＯ）、ステップｓ６へ移行し、そのままＪＯＢを終了する（ステップｓ６）。
【００６８】
次に、図５のフローチャートに基づいて、ヤレ検知頁を再出力する手順を説明する。
まず、図３に示すヤレ検知履歴リスト画面を表示し（ステップｓ１０）、ヤレ検知履歴リスト画面において、再出力したいＪＯＢのヤレ検知シート欄の「参照」釦が押下されると（ステップｓ１１）、ヤレ検知シートに対する元画像情報画面が表示される（ステップｓ１２）。
次に、元画像情報画面において「次へ」釦が押下されたかを判定する（ステップｓ１３）。元画像情報画面において「次へ」釦が押下されると（ステップｓ１３、ＹＥＳ）、１つ次のヤレ検知シートに対する元画像情報を表示する（ステップｓ１４）。
ステップｓ１４の後、またはステップｓ１３で「次へ」釦が押されないと（ステップｓ１３、ＮＯ）、元画像情報画面において「前へ」釦が押下されたかを判定する（ステップｓ１５）。
【００６９】
元画像情報画面において「前へ」釦が押下されると（ステップｓ１５、ＹＥＳ）、１つ前のヤレ検知シートに対する元画像情報を表示する（ステップｓ１６）。
ステップｓ１６の後、またはステップｓ１５で「前へ」釦が押下されないと（ステップｓ１５、Ｎｏ）、「再出力」釦が押下されることにより（ステップｓ１７）、表示されている元画像によって表示設定によって１頁１部ＪＯＢが新規生成され（ステップｓ１８）、新規生成されたＪＯＢを出力し（ステップｓ１９）、ＪＯＢを終了する（ステップｓ２０）。上記手順により、ヤレ検知頁の再印刷を行うことができる。
【００７０】
（ＪＯＢが束物ＪＯＢである場合）
ヤレが検知されたＪＯＢが束物ＪＯＢである場合がある。束物ＪＯＢは、画像形成後にステープル処理や冊子処理などの後処理が行われて、束となった状態で出力されるＪＯＢである。ヤレが検知された束物ＪＯＢにおいて、ヤレ検知頁の元画像情報だけを保存して再印刷出力すると所望の出力物が得られない。
本実施形態では、印刷ＪＯＢが束物ＪＯＢである場合、ヤレ検知頁を含む全頁の元画像情報を保存し、印刷履歴情報との紐付けを行う。ヤレ検知頁の再出力指示がなされると、ヤレ検知頁を含む全頁を再印刷する。
【００７１】
ヤレ検知されたＪＯＢが束物ＪＯＢである場合、図３の表示画面１４００で「再出力」釦１４２１が押下されると、図６に示すように、表示画面１４００にポップアップ画面１４５０が表示される。
ポップアップ画面１４５０内のメッセージ表示欄１４５１に、「束物ＪＯＢのため、ヤレ検知シートを含む１部出力を行います」とするメッセージが表示されている。
メッセージ表示欄１４５１の下方側に「ＯＫ」釦１４５２と「キャンセル」釦１４５３が表示されており、「ＯＫ」釦が押下されると、１部出力が行われる。「キャンセル」釦１４５３が押下されると、出力をキャンセルし、ポップアップ画面１４５０が閉じられる。
【００７２】
束物ＪＯＢにおいてヤレ検知を行う手順を図７のフローチャートに基づいて説明する。
ＪＯＢをスタートし（ステップｓ３０）、ステップｓ２と同様に、用紙上の画像の読み取りが行われる（ステップｓ３１）。次に、読取画像の良否を判定する（ステップｓ３２）。
【００７３】
読取画像の良否判定においてヤレが検知された場合（ステップｓ３２、ＹＥＳ）、ヤレ検知履歴リストに各種ＪＯＢ情報を記録し（ステップｓ３３）、ＪＯＢが束物ＪＯＢであるかを判定する（ステップｓ３４）。判定は、ＪＯＢの出力設定情報などに基づいて行うことができる。束物ＪＯＢである場合（ステップｓ３４、ＹＥＳ）、ＪＯＢのＩＤとＪＯＢの全頁の元画像情報とを記録し（ステップｓ３５）、ＪＯＢを終了する（ステップｓ３７）。ヤレが検知されない場合（ステップｓ３２、ＮＯ）、ＪＯＢを終了する（ステップｓ３７）。
【００７４】
ステップｓ３４において、ＪＯＢが束物ＪＯＢでない場合（ステップｓ３４、ＮＯ）、ＪＯＢのＩＤとヤレ検知頁のＪＯＢの元画像情報とを記録し（ステップｓ３６）、ＪＯＢを終了する（ステップｓ３７）。
【００７５】
次に、束物ＪＯＢの再出力時の手順を図８のフローチャートに基づいて説明する。
ヤレ検知履歴リスト画面を表示し（ステップｓ４０）、ヤレ検知履歴リスト画面において、再出力したいＪＯＢのヤレ検知シート欄の「参照」釦が押下されると（ステップｓ４１）、ヤレ検知シートに対する元画像情報画面（図６）が表示される（ステップｓ４２）。
その後、「再出力」釦が押下されると（ステップｓ４３）、表示画像ＪＯＢの設定が束物ＪＯＢであるかを判定する（ステップｓ４４）。
【００７６】
束物ＪＯＢである場合（ステップｓ４４、ＹＥＳ）、束物ＪＯＢによる１部出力設定確認画面を表示し（ステップｓ４５）、キャンセル釦が押下されたかを判定する（ステップｓ４６）。キャンセル釦が押下された場合（ステップｓ４６、ＹＥＳ）、ステップｓ４２に戻る。キャンセル釦が押下されていない場合（ステップｓ４６、Ｎｏ）、ＯＫ釦が押下されると（ステップｓ４７）、元画像の全頁を、表示設定によって出力する１部ＪＯＢを新規生成する（ステップｓ４８）。その後、新規生成されたＪＯＢを出力し（ステップｓ５０）、ＪＯＢを終了する（ステップｓ５１）。
【００７７】
ステップｓ４４において、表示画像ＪＯＢの設定が束物ＪＯＢでない場合（ステップｓ４４、ＮＯ）、表示されている元画像を、表示設定によって出力する１頁１部ＪＯＢが新規生成し（ステップｓ４９）、新規生成されたＪＯＢを出力し（ステップｓ５０）、ＪＯＢを終了する（ステップｓ５１）。
上記手順により、ヤレ検知したＪＯＢが束物ＪＯＢである場合に、所望の出力状態でＪＯＢの再出力を行うことが可能となる。
【００７８】
（両面印刷ＪＯＢの場合）
ヤレ検知頁が両面シートである場合がある。ヤレ検知頁の片面の元画像情報だけを保存して再印刷出力すると所望の出力物が得られない。
本実施形態では、ヤレ検知頁が両面シートである場合、少なくとも、元画像情報として、ヤレ検知頁およびその反対面の頁の元画像情報を保存し、ヤレ検知リスト情報に関連付けを行う。そして、ヤレ検知頁の再印刷の指示がなされると、少なくとも、ヤレ検知頁およびヤレ検知頁の反対面の頁の再印刷を行う。
【００７９】
図９および図１０は、ヤレ検知された両面印刷ＪＯＢにおける元画像の表示画面１５００を示している。
表示画面１５００では、図３の表示画面１４００と同様に、中央に元画像１５１０が表示されており、元画像１５１０の表示領域の左側に、ＪＯＢ情報１５１１が表示されている。元画像１５１０の表示領域の右側に、ヤレ検知シートのオモテ面を表示するための「オモテ」釦１５３０と、ウラ面を表示するための「ウラ」釦１５３１が配置されている。表示画面１５００では、「オモテ」釦１５３０が押下されて釦色が濃色とされて、オモテ面の元画像が表示されている。
【００８０】
「ウラ」釦１５３１を押下された場合は、図１０示すように、「ウラ」釦１５３１の釦色が濃色になってウラ面の元画像１５１２が表示される。
また、表示画面１５００では、元画像の表示領域の下側に、「前へ」釦１５２０、「再出力」釦１５２１、「次へ」釦１５２２が表示されている。ヤレ検知シートが複数存在する場合は、「前へ」釦１５２０を押下すると１つ前の元画像が表示され、「次へ」釦１５２２を押下すると１つ後の元画像が表示される。「再出力」釦１５２１が押下されると、ヤレ検知シートを出力するＪＯＢを生成し、出力することができる。ここでは、少なくとも、ヤレが検知された頁と、その反対面の頁とが両面印刷で出力される。
【００８１】
両面印刷ＪＯＢでヤレ検知された際の手順と再出力の手順を説明する。
両面印刷ＪＯＢにおいてヤレ検知されたときの手順を図１１のフローチャートに基づいて説明する。
ＪＯＢをスタートし（ステップｓ６０）、用紙上の画像の読み取りが行われる（ステップ６１）。次に、読取画像に基づいて画像の良否を判定する（ステップｓ６２）。
【００８２】
画像の良否判定においてヤレが検知された場合（ステップｓ６２、ＹＥＳ）、ヤレ検知履歴リストに各種ＪＯＢ情報を記録し（ステップｓ６３）、ＪＯＢが両面設定（両面印刷）のＪＯＢであるかを判定する（ステップｓ６４）。両面印刷のＪＯＢであるかは、ＪＯＢの出力設定に基づいて判定することができる。両面設定のＪＯＢである場合（ステップｓ６４、ＹＥＳ）、ＪＯＢのＩＤと、ヤレ検知シートのオモテ面およびウラ面の元画像情報を記録し（ステップｓ６５）、ＪＯＢを終了する（ステップｓ６７）。ステップｓ６２においてヤレを検知しなかった場合（ステップｓ６２、ＮＯ）、ＪＯＢを終了する（ステップｓ６７）。
ステップｓ６４において、ＪＯＢが両面設定のＪＯＢでない場合（ステップｓ６４、ＮＯ）、ＪＯＢのＩＤとヤレ検知頁のＪＯＢの元画像情報とを記録し（ステップｓ６６）、ＪＯＢを終了する（ステップｓ６７）。
【００８３】
ヤレ検知された両面印刷ＪＯＢを再出力する際の手順を図１２のフローチャートに基づいて説明する。
ヤレ検知履歴リスト画面を表示し（ステップｓ７０）、ヤレ検知履歴リスト画面において、再出力したいＪＯＢのヤレ検知シート欄の「参照」釦が押下されると（ステップｓ７１）、ヤレ検知シートに対する元画像情報画面が表示される（ステップｓ７２）。
【００８４】
元画像情報画面において「オモテ」釦が押下されたかを判定する（ステップｓ７３）。「オモテ」釦が押下されていると（ステップｓ７３、ＹＥＳ）、ヤレ検知シートに対するオモテ面の元画像情報を表示する（ステップｓ７４）。ステップｓ７４の後、または「オモテ」が押下されていないと（ステップｓ７３）、「ウラ」釦が押下されたかを判定する（ステップｓ７５）。
「ウラ」釦が押下されていると（ステップｓ７５、ＹＥＳ）、ヤレ検知シートに対するウラ面の元画像情報を表示する（ステップｓ７６）。ステップｓ７６の後、または「ウラ」釦が押下されていない場合（ステップｓ７５、ＮＯ）、「再出力」釦が押下されると（ステップｓ７７）、表示されている元画像を表示設定で出力する２頁１部ＪＯＢが新規生成され（ステップｓ７８）、新規生成されたＪＯＢを出力し（ステップｓ７９）ＪＯＢを終了する（ステップ８０）。上記手順により、ヤレ検知されたＪＯＢが両面印刷ＪＯＢであった場合でも所望の出力物で再出力を行うことが可能となる。
【００８５】
（ノンブル付加印刷の場合）
また、ノンブルＪＯＢの出力時、つまり、ＪＯＢの出力タイミングで画像情報に別の印字画像を上書き出力するような場合において、ヤレ検知頁の元画像情報だけを保存して再印刷すると、ノンブルがないか、適正なノンブルが付加されず、所望の出力物が得られない。
本実施形態では、ノンブルＪＯＢでヤレを検知した場合は、ヤレ検知頁の元画像情報だけでなく、ノンブル情報も合わせて保存する。以下に、説明する。
【００８６】
図１３は、ノンブルＪＯＢの出力時における元画像の表示画面１６００を示す図である。
表示画面１６００では、図９と同様に、中央に元画像１６１０が表示され、元画像１６１０の表示領域の左側には、ＪＯＢ情報１６１１が表示されている。元画像１６１０には、ノンブル情報１６１２が付加された画像が表示されている。
元画像１６１０の表示領域の右側には、ヤレ検知シートのオモテ面を表示するための「オモテ」釦１６３０と、ウラ面を表示するための「ウラ」釦１６３１が配置されている。なお、図１３では、「オモテ」釦１６３０が押下されており、元画像１６１０としてオモテ面の画像が表示されている。なお、両面印刷でない場合には、「オモテ」釦１６３０および「ウラ」釦１６３１は表示されない。
また、元画像の表示領域の下側には、「前へ」釦１６２０、「再出力」釦１６２１、「次へ」釦１６２２が表示されている。ヤレ検知シートが複数存在する場合は、「前へ」釦１６２０を押下すると１つ前の元画像が表示され、「次へ」釦１６２２を押下すると１つ後の元画像が表示される。「再出力」釦１６２１が押下されると、ヤレ検知シートを再出力するＪＯＢを生成し、出力する。再出力では、元画像にノンブル情報を付加した画像が出力される。
【００８７】
ノンブルＪＯＢの印刷においてヤレ検知を行う手順を図１４のフローチャートに基づいて説明する。
ＪＯＢをスタートし（ステップｓ９０）、用紙上の画像の読み取りが行われる（ステップ９１）。次いで読取画像の良否が判定される（ステップｓ９２）。
読取画像の良否判定において、ヤレが検知された場合（ステップｓ９２、ＹＥＳ）、ヤレ検知履歴リストに各種ＪＯＢ情報を記録し（ステップｓ９３）、ＪＯＢのＩＤとヤレ検知頁の元画像情報を記録する（ステップｓ９４）。その後、ＪＯＢにノンブル設定がなされているかを判定する（ステップｓ９５）。ノンブル設定がされている場合（ステップｓ９５、ＹＥＳ）、ヤレ検知頁のノンブル設定情報を記録し（ステップｓ９６）、ＪＯＢを終了する（ステップｓ９７）。
ノンブル設定がされていない場合（ステップｓ９５、Ｎｏ）、または、ステップｓ９２において、ヤレが検知されなかった場合（ステップｓ９２、ＮＯ）、ＪＯＢを終了する（ステップ９７）。  
【００８８】
ヤレ検知されたノンブルＪＯＢを再出力する手順を図１５のフローチャートに基づいて説明する。
ヤレ検知履歴リスト画面を表示し（ステップｓ１００）、ヤレ検知履歴リスト画面において、再出力したいＪＯＢのヤレ検知シート欄の「参照」釦が押下されると（ステップｓ１０１）、ノンブル設定がされたＪＯＢであるかを判定する（ステップｓ１０２）。
ノンブル設定がされたＪＯＢである場合（ステップｓ１０２、ＹＥＳ）、ヤレ検知履歴シートに対する元画像にノンブル画像を付与した画像を表示する（ステップｓ１０３）。  ヤレ検知されたＪＯＢがノンブルＪＯＢでない場合（ステップｓ１０２、ＮＯ）、ヤレ検知シートに対する元画像情報画面が表示される（ステップｓ１０４）。
ステップｓ１０３またはステップｓ１０４の後、「再出力」釦が押下されると（ステップｓ１０５）、表示されている元画像を、表示設定によって出力する１頁１部ＪＯＢが新規生成され（ステップｓ１０６）、新規生成されたＪＯＢを出力し（ステップｓ１０７）、ＪＯＢを終了する（ステップｓ１０８）。上記手順により、ノンブル情報を付加して出力するＪＯＢにおいてヤレを検知した場合に、ノンブル情報が適正に付加された、所望の出力物を再出力することが可能となる。
【００８９】
（正解画像の保存）
正解画像と出力画像を比較して、ヤレ検知を実施する場合、後日追加発注等で同じものを再印刷（再販出力）したい場合がある。以前出力したときと同じ正解画像をヤレ検知時の比較に用いたいときは、ヤレ検知頁の元画像情報だけでなく、正解画像も保存してヤレ検知履歴リスト情報に関連付けておかないと、前に印刷した印刷物と、再印刷した印刷物でのヤレ検知の判断が変わってしまい、品質の異なる完成物が出来上がってしまう。
また、ヤレ検知頁の再出力を行う場合にも、正解画像が保存されていないと、同じ基準でヤレ判定を行えなくなり、結果として完成物の品質にばらつきが生じてしまう。
そこで、ヤレ検知が発生した場合、ヤレ検知頁の元画像情報だけでなく、ヤレ判定用の正解画像も合わせて保存し、ヤレ検知頁の再出力を行う場合は、保存されている正解画像を用いてヤレ判定を行う。
【００９０】
まず、ヤレ検知を行う際の手順を図１６のフローチャートに基づいて説明する。
ＪＯＢをスタートし（ステップｓ１１０）、用紙上の画像の読み取りが行われる（ステップｓ１１１）。次に、読取画像の良否が判定される（ステップｓ１１２）。
読取画像の良否の判定において、ヤレが検知された場合（ステップｓ１１２、ＹＥＳ）、ヤレ検知履歴リストに各種ＪＯＢ情報を記録し（ステップｓ１１３）、ＪＯＢＩＤと、ヤレ検知頁のＪＯＢの元画像情報を記録し（ステップｓ１１４）、ＪＯＢのＩＤとヤレ検知頁のＪＯＢの正解画像とを保存し（ステップｓ１１５）、ＪＯＢを終了する（ステップｓ１１６）。
ステップｓ１１２においてヤレを検知しなかった場合（ステップｓ１１２、ＮＯ）、ＪＯＢを終了する（ステップｓ１１６）。
【００９１】
次に、ヤレ検知頁の再出力時の手順を図１７のフローチャートに基づいて、説明する。
ヤレ検知履歴リスト画面を表示し（ステップｓ１２０）、ヤレ検知履歴リスト画面において、再出力したいＪＯＢのヤレ検知シート欄の「参照」釦が押下されると（ステップｓ１２１）、ヤレ検知シートに対する元画像情報画面が表示される（ステップｓ１２２）。
その後、「再出力」釦が押下されると（ステップｓ１２３）、表示されている元画像を、表示設定により出力する１頁１部ＪＯＢが新規生成され（ステップｓ１２４）、新規生成されたＪＯＢを出力する（ステップｓ１２５）。新規生成で出力されたＪＯＢにおける画像の読み取りが行われ、読取画像と保存されている正解画像とを比較してヤレ検知を実施し（ステップｓ１２６）、ＪＯＢを終了する（ステップｓ１２７）。上記手順により、ヤレ検知頁を再出力する際に、正解画像を用いてヤレ検知を行うことが可能となり、再出力時の品質を通常出力時と同じにすることができる。
なお、上記説明では、ヤレ検知頁に対する正解画像のみを保存しているが、ヤレが検知されたＪＯＢの全頁の正解画像を保存するようにしてもよい。
【００９２】
（再出力頁の選択）
また、出力されたＪＯＢでヤレが検知された場合、ユーザーの判断によりヤレ検知された頁を全ページではなく、選択した頁で再出力したい場合がある。
図１８は、再出力頁の選択を可能とした元画像の表示画面１７００を示す図である。
表示画面１７００では、図１３と同様に、中央に元画像１７１０が表示されており、元画像１７０の表示領域の左側には、ＪＯＢ情報１６１１が表示されている。元画像１７１０としては、ノンブル情報１７１２が付加された画像が表示されている。
そして、元画像１７１０の表示領域の下側にチェックボックス１７４０が設けられており、チェックボックス１７４０でチェックすることにより、出力するヤレ検知頁の設定を行うことが可能となっている。なお、再出力をしたい頁の選択方法は、任意に設定可能であり、チェックボックスにチェックを加えるものに限定されない。例えば、再出力した頁をテキストで指示することなどによって再出力頁を選択するようにしてもよい。
【００９３】
また、表示画面１７００では、元画像１７１０の右側に、ヤレ検知シートのオモテ面を表示するための「オモテ」釦１７３０と、ウラ面を表示するための「ウラ」釦１７３１が配置されている。図１８では、「オモテ」釦１７３０が押下されており、元画像１７１０としてオモテ面の画像が表示されている。なお、両面印刷でない場合には、「オモテ」釦１７３０および「ウラ」釦１７３１は表示されない。
また、元画像１７１０およびチェックボックス１７４０の表示領域の下側には、「前へ」釦１７２０、「再出力」釦１７２１、「次へ」釦１７２２が表示されている。ヤレ検知シートが複数存在する場合は、「前へ」釦１７２０を押下すると１つ前の元画像が表示され、「次へ」釦１７２２を押下すると１つ後の元画像が表示される。「再出力」釦１７２１が押下されると、図１９に示すポップアップ画面１７５０が表示され、出力方法設定の確認が行われる。
【００９４】
図１９は、出力方法設定の確認画面を示す図である。
図１９では、ポップアップ画面１７５０の内部に設けられたメッセージ欄１７５１に、「＜１部出力＞ヤレ検知シートを含む１部出力を行います」および「＜任意シート出力＞チェックありのシートのみ出力を行います」と表示されている。
そして、メッセージ欄１７５１の下部には、「１部出力」釦１７５２、「任意シート出力」釦１７５３、「キャンセル」釦１７５４が設けられており、「１部出力」釦１７５２が押下されると、ヤレ検知頁の全頁（１部）の出力が行われ、「任意シート出力」釦１７５３が押下されると、図１８のチェックボックス１７４０へのチェック付与によって選択されたシートのみが出力される。また、「キャンセル」釦１７５４を押下すると、再出力動作がキャンセルされ、ポップアップ画面１７５０が閉じられて、図１８の表示画面１７００へと戻る。
【００９５】
次に、上記手順において、ヤレ検知頁を全頁（１部）出力する際の手順を図２０のフローチャートに基づいて説明する。
ヤレ検知履歴リスト画面を表示し（ステップｓ１３０）、ヤレ検知履歴リスト画面において、再出力したいＪＯＢのヤレ検知シート欄の「参照」釦が押下されると（ステップｓ１３１）、ヤレ検知シートに対する元画像情報画面が表示される（ステップｓ１３２）。その後、「再出力」釦が押下されると（ステップｓ１３３）、出力方法設定確認画面を表示する（ステップｓ１３４）。
出力方法設定確認画面において、「１部出力」釦が押下されると（ステップｓ１３５）、表示されている元画像の全頁を表示設定で出力する１部ＪＯＢを新規生成し（ステップｓ１３６）、新規生成されたＪＯＢを出力し（ステップｓ１３７）、ＪＯＢを終了する（ステップｓ１３８）。
【００９６】
ヤレ検知頁のうち任意の頁を出力する手順を図２１のフローチャートに基づいて説明する。
ヤレ検知履歴リスト画面を表示し（ステップｓ１４０）、ヤレ検知履歴リスト画面において、再出力したいＪＯＢのヤレ検知シート欄の「参照」釦が押下されると（ステップｓ１４１）、ヤレ検知シートに対する元画像情報画面が表示される（ステップｓ１４２）。
出力対象シートのチェックボックス釦が押下され（ステップｓ１４３）、「再出力」釦が押下されると（ステップｓ１４４）、出力方法設定確認画面を表示する（ステップｓ１４５）。
【００９７】
出力方法設定確認画面において、「任意シート出力」釦が押下されると（ステップｓ１４６）、チェックボックスでチェックを付けた表示画像頁を、表示設定によって出力する１部ＪＯＢを新規生成し（ステップｓ１４７）、新規生成されたＪＯＢを出力し（ステップｓ１４８）、ＪＯＢを終了する（ステップｓ１４９）。上記手順によれば、ヤレ検知した頁の中から任意の頁を選択して再出力することが可能となる。
【００９８】
本実施形態によれば、束物ＪＯＢ、両面ＪＯＢ、ノンブルＪＯＢ、再販出力であっても、ヤレ検知履歴リスト画面から、所望の出力物を再出力することができる。
【００９９】
なお、上記説明では、束物ＪＯＢ、両面印刷ＪＯＢ、ノンブルＪＯＢを例として、ヤレ検知時の動作および再出力動作を説明したが、本発明を適用可能なＪＯＢはこれらのＪＯＢに限定されない。上記以外のＪＯＢであっても、ヤレ検知頁のみを再出力した場合には完成物が得られない種類のＪＯＢにおいて、再出力時に所望の出力物が得られるように、出力するＪＯＢの設定内容に応じて保存する元画像情報を変更することにより、所望の出力物の再出力を行うことが可能となる。
【０１００】
以上、本発明を上記実施形態に基づいて説明したが、本発明の範囲は上記説明に限定されるものではなく、本発明の範囲を逸脱しない限りでは、上記実施形態に対する適宜の変更が可能である。
【符号の説明】
【０１０１】
１  画像形成装置
１０  装置本体
１１  画像形成部
２０  読取装置
２２  搬送路
２４  画像読取部
２５  画像読取部
３０  後処理装置
４０  給紙装置
１００  制御部
１１３  制御ＣＰＵ
１１５  不揮発メモリ
１４０  操作部
１４００  表示画面
１４１０  元画像
１４１１  ＪＯＢ情報
１４２１  「再出力」釦
１４５０  ポップアップ画面
１４５１  メッセージ表示欄
１５００  表示画面
１５１０  元画像
１５１１  ＪＯＢ情報
１５２１  「再出力」釦
１５３０  「オモテ」釦
１５３１  「ウラ」釦
１６００  表示画面
１６１０  元画像
１６１１  ＪＯＢ情報
１６１２  ノンブル情報
１６２１  「再出力」釦
１７００  表示画面
１７１０  元画像
１７２１  「再出力」釦
１７４０  チェックボックス
１７５０  ポップアップ画面
１７５２  「１部出力」釦
１７５３  「任意シート出力」釦
【図１】
2019038201.tif 000004
【図２】
2019038201.tif 000005
【図３】
2019038201.tif 000006
【図４】
2019038201.tif 000007
【図５】
2019038201.tif 000008
【図６】
2019038201.tif 000009
【図７】
2019038201.tif 000010
【図８】
2019038201.tif 000011
【図９】
2019038201.tif 000012
【図１０】
2019038201.tif 000013
【図１１】
2019038201.tif 000014
【図１２】
2019038201.tif 000015
【図１３】
2019038201.tif 000016
【図１４】
2019038201.tif 000017
【図１５】
2019038201.tif 000018
【図１６】
2019038201.tif 000019
【図１７】
2019038201.tif 000020
【図１８】
2019038201.tif 000021
【図１９】
2019038201.tif 000022
【図２０】
2019038201.tif 000023
【図２１】
2019038201.tif 000024